(57)【要約】【課題】  前シンボル以前の等化結果が存在しない場合でも、トレーニングを行うことなく等化を行えるようにした判定帰還型等化器を提供する。【解決手段】  連続性のないデータの等化を行う際は、フィードフォワードフィルタ部１０のみで最初のシンボルを等化する。加算部３０の出力である等化結果は判定部４０で判定され、受信データとして出力されるとともに、帰還データとしてフィードバックフィルタ部２０に供給される。２番目のシンボルは、フィードフォワードフィルタ部１０の全タップとフィードバックフィルタ部２０の前段側タップとを用いて等化する。３番目のシンボルは、各フィルタ部の全タップを用いて等化する。制御部７０は、タップ係数記憶部６１に記憶されているタップ係数を用いて３番目までのシンボルを等化させた後に、タップ係数の更新を許可する。【選択図】  図１
2006033015.tif 000002
【特許請求の範囲】
【請求項１】
最初のシンボルはフィードフォワードフィルタを用い予め記憶されたタップ係数に基づいて等化してこの等化の結果に基づく判定結果をフィードバックフィルタへ供給し、次のシンボルからは前記フィードフォワードフィルタと前記フィードバックフィルタとを用い前記予め記憶されたタップ係数に基づいて等化してこの等化の結果に基づく判定結果をフィードバックフィルタへ供給する等化手段と、
前記フィードバックフィルタの全タップに前記判定結果が供給されるまではタップ係数の更新を行わないようにする係数更新制御手段と、
を備える判定帰還型等化器。
【請求項２】
請求項１記載の判定帰還型等化器を備える受信装置。
【請求項３】
請求項２記載の受信装置を備える移動局無線装置。
【請求項４】
請求項２記載の受信装置を備える基地局無線装置。
【請求項５】
無線通信システムにおいて、少なくとも請求項３記載の移動局無線装置または請求項４記載の基地局無線装置をその構成に含む無線通信システム。
【発明の詳細な説明】
【技術分野】
【０００１】
本発明は、周波数選択性フェージングによって生ずる受信信号の歪みを等化する判定帰還型等化器、及びこの判定帰還型等化器を備えた受信装置に関する。
【背景技術】
【０００２】
無線通信システムにおいて受信装置に設けられている判定帰還型等化器は、既知パターンのトレーニング用データ系列の受信データを用いてトレーニングを行い、そのトレーニング用データ系列から連続しているデータ系列の受信データの等化を引き続き行う。通常、等化器を搭載することを踏まえてシステム設計がなされた無線通信システムにおいては、波形等化処理を施す受信データとの連続性を損なわないようにトレーニング処理用に既知パターンが挿入されている。
【０００３】
図８を用いて従来の一般的な判定帰還型等化器の動作を説明する。判定帰還型等化器２００は、１シンボル単位処理でフィードフォワードフィルタタップ２０３とフィードバックフィルタタップ２０４とで構成した等化フィルタでフィルタリングすることにより等化した１シンボルのデータを得る。なお、図８に示す受信ベースバンド信号は複素信号であり、以下の説明におけるデータは複素データであり、演算も複素演算である。
【０００４】
受信ベースバンド信号の入力系列を、遅延素子群２０１により１シンボル時間遅延させ、シンボル間隔でフィードフォワードフィルタタップ２０３の各タップ係数と乗算し、乗算結果を加算器２０５へ入力する。また、前シンボルの加算器２０５の出力である等化結果を符号判定手段２０６で符号判定した判定データ、もしくはトレーニング系列を帰還データとして遅延素子群２０２により１シンボル時間遅延させ、シンボル間隔でフィードバックフィルタタップ２０４の各タップ係数と乗算し、乗算結果を加算器２０５へ入力する。加算器２０５の出力が等化フィルタでフィルタリングされた等化結果であり、等化結果を符号判定手段２０６で符号判定した判定データを受信データとして出力する。
【０００５】
トラッキング時には符号判定手段２０６で符号判定した判定データと加算器２０５の出力である等化結果との誤差情報を誤差情報算出手段２０７で求め、また、トレーニング時にはトレーニング系列と等化結果との誤差情報を誤差情報算出手段２０７で求め、その誤差情報をタップ係数更新部２０８に供給する。タップ係数更新部２０８は、誤差が軽減されるようにフィードフォワードフィルタタップ２０３の各タップ係数、及びフィードバックフィルタタップ２０４の各タップ係数を更新し、フィードフォワードフィルタタップ２０３及びフィードバックフィルタタップ２０４の両方で周波数選択性フェージングを抑制するような等化フィルタを形成する。
【０００６】
なお、制御部２７０は、バッファメモリ部２９０からの受信ベースバンド信号の読み出し動作、切替スイッチ部（データ選択部）２８０の切り替え動作等を制御する。バッファメモリ部２９０には、少なくとも主要到来波の１バーストフォーマット分の受信ベースバンド信号が格納されている。
【０００７】
この判定帰還型等化器２００は、等化フィルタ出力をもとに符号判定を行った判定結果をフィードバックすることにより次シンボル以降の等化処理を行う。このとき、フィードフォワードフィルタタップ２０３及びフィードバックフィルタタップ２０４への入力は連続した時系列でなければならず、前シンボルの入力データがなく判定結果が得られない場合にはフィードフォワードフィルタタップ２０３への入力とフィードバックフィルタタップ２０４への入力が不連続となり、その時点で波形等化性能が著しく劣化し、以降の波形等化に対して誤り伝搬を引き起こす場合がある。
【０００８】
入力系列が不連続であることと類似した事例として、フェージング等による一時的な受信電界強度の低下により雑音レベル比が増加し、波形等化性能が劣化し、一時的に誤った判定結果を帰還データとすることで、受信電界強度が回復した以降の波形等化に対しても誤り伝搬を引き起こすことがある。この誤り伝搬を防止する手段として、等化出力の正当性を判断する手段を設け、等化出力が誤っていると判断した場合には、前シンボルの等化出力結果が誤っていると推測し、前シンボルの判定データの中から現シンボルの等化出力の正当性が高いものを決定し、その判定データを帰還データとして波形等化を行うことにより伝搬を抑制する方式がある（特許文献１参照）。
【０００９】
また、複数個のタップを用いて受信データを等化修正するフィルタ部と、等化修正されたデータを判定するデータ判定部と、その等化修正されたデータの誤差を推定する誤差推定部と、前記タップで使用されるタップゲイン値を更新するタップゲイン更新部とを具備し、誤差推定部によって推定された推定誤差を用いてタップゲイン値を推定して修正するとともに、推定誤差が一定値を越える場合には、その推定及び修正は行わず、過去のタップゲイン値を用いて次のタップゲイン値を推定して等化修正を続けるようにした自動等化器が知られている（特許文献２参照）。
【００１０】
また、所定のアルゴリズムにより演算を行ってタップ係数を更新する係数更新手段と、タップ係数を更新する必要があるか否かを判定する判定手段と、この判定手段の判定結果を参照する期間を設定し、この期間においてタップ係数を更新する必要があるときのみ係数更新手段に演算を行わせる演算実行制御手段とを具備した等化器が知られている（特許文献３）。
【００１１】
図９はバーストフォーマットの従来の等化方式の説明図である。通常、判定帰還型等化器を用いて周波数選択性フェージングを抑制することを前提に設計したシステムのバーストフォーマットは、図９に示すように、既知パターン（ＵＷ）３０２が挿入されている。ここでは、等化対象データ（ＤＷ１）３０１と等化対象データ（ＤＷ２）３０３との間に既知パターン（ＵＷ）３０２が配置された場合を示している。
【００１２】
図８に示したような従来の判定帰還型等化器では、等化対象データ（ＤＷ１）３０１を等化するために等化方向を示す矢印３０６でトレーニングして、矢印３０７に向きにトラッキングによる等化フィルタの更新を進めながら等化対象データ（ＤＷ１）３０１の等化を行う。また、等化対象データ（ＤＷ２）３０３を等化するために等化方法を示す矢印３０４でトレーニングし、矢印３０５の向きにトラッキングを進めながら等化対象データ（ＤＷ２）３０３の等化を行う（特許文献４  段落７〜９参照）。このように従来の判定帰還型等化器では、既知パターン３０２に基づくトレーニングを矢印３０４及び矢印３０６の向きに２回行っているため、トレーニングのための演算量が多大である。
【００１３】
トレーニングとは、既知パターンを用いて周波数選択性フェージングを抑制するように等化フィルタを新規形成する処理であり、トラッキングとは、等化を進めながら形成された等化フィルタを更新して伝送路変動に追従する処理である。よって、トレーニングを正しく行うことができなかった場合、引き続き行うトラッキングも正しく行うことができない。したがって、通常、トレーニングはトラッキングに比べて高精度に等化フィルタを形成することができる収束アルゴリズムを用いる場合が多い。さらに、伝送レートをより高速にするためには既知パターンをできるだけ短くするほうが良いため、トレーニングには、より短時間で等化フィルタを形成することができる収束アルゴリズムを用いるほうが良い。しかし、これらを両立できる高速高精度の収束アルゴリズムの演算規模は低速低精度の収束アルゴリズムの演算規模より大きくなる。このため、トレーニングの演算規模はトラッキングに比べて大きくなる場合が多い。
【００１４】
【特許文献１】特開２００１−３４５７４３号公報
【特許文献２】特開平５−１７５７８３号公報
【特許文献３】特開２０００−４９６６６号公報
【特許文献４】特開２００３−３０４１７９号公報
【発明の開示】
【発明が解決しようとする課題】
【００１５】
判定帰還型等化器は、前シンボルの等化結果に基づく判定データを帰還させることにより符号間干渉成分の抑圧を行うことができる。しかし、帰還データが誤っている場合には、等化を正しく行うことができないため、その等化結果に基づく判定データを誤る可能性がある。また、次シンボルの等化を行う際の帰還データは前シンボルの判定データであるため、その判定データが誤った場合には、次シンボル以降にも誤り伝搬が起こり、等化性能の著しい劣化を引き起こすおそれがある。
【００１６】
既知パターンではない時点から等化を行う際、連続していない別の時点で形成した等化フィルタを流用し、トレーニングを行うことなく等化を行う場合は、前シンボル以前の等化結果が存在しないため帰還データを得ることができない。
【００１７】
本発明は、上記事情に鑑みてなされたもので、前シンボル以前の等化結果が存在しない場合でも、トレーニングを行うことなく等化を行えるようにした判定帰還型等化器、及びこの判定帰還型等化器を備えた受信装置を提供することを目的とする。
【課題を解決するための手段】
【００１８】
本発明の判定帰還型等化器は、最初のシンボルはフィードフォワードフィルタを用い予め記憶されたタップ係数に基づいて等化してこの等化の結果に基づく判定結果をフィードバックフィルタへ供給し、次のシンボルからは前記フィードフォワードフィルタと前記フィードバックフィルタとを用い前記予め記憶されたタップ係数に基づいて等化してこの等化の結果に基づく判定結果をフィードバックフィルタへ供給する等化手段と、前記フィードバックフィルタの全タップに前記判定結果が供給されるまではタップ係数の更新を行わないようにする係数更新制御手段と、を備えるものである。
【００１９】
これにより、前シンボル以前の等化結果が存在しない場合でも、別の時点で形成した等化フィルタの各タップ係数を用いて各時点で有効なデータに基づいて等化を行うことで、トレーニングを行うことなく等化を行えるようにすることができる。
【００２０】
また、本発明は、上記の判定帰還型等化器を備える受信装置を提供する。
また、本発明は、上記の受信装置を備える移動局無線装置を提供する。
また、本発明は、上記の受信装置を備える基地局無線装置を提供する。
また、本発明は、無線通信システムにおいて、少なくとも上記の移動局無線装置または上記の基地局無線装置をその構成に含む無線通信システムを提供する。
【発明の効果】
【００２１】
本発明によれば、前シンボル以前の等化結果が存在しない場合でも、トレーニングを行うことなく等化を行えるようにした判定帰還型等化器、及びこの判定帰還型等化器を備えた受信装置を提供できる。
【発明を実施するための最良の形態】
【００２２】
以下の本実施形態では、バーストフォーマットにおいて本発明を実施するための最良の形態を説明する。
【００２３】
図１は本発明の実施形態に係る判定帰還型等化器のブロック図である。本実施形態の判定帰還型等化器は、周波数選択性フェージングによって生じる受信信号の歪みを等化することにより、良好な受信特性を満たすようにするものである。
【００２４】
図１に示す判定帰還型等化器１は、フィードフォワードフィルタ部１０、フィードバックフィルタ部２０、加算部３０、判定部４０、誤差算出部５０、タップ係数更新部６０、制御部７０、切替スイッチ部（データ選択部）８０、及び、バッファメモリ部９０を有して構成される。
【００２５】
フィードフォワードフィルタ部１０は、各遅延素子部（Ｔｓ）１１，１２、各乗算器１３，１４，１５及び加算器１６を備える。各遅延素子部１１，１２の遅延時間は１シンボル時間である。バッファメモリ部９０から読み出された受信ベースバンド信号は、第１の遅延素子部１１に供給される。第１の遅延素子部１１で１シンボル時間遅延された受信ベースバンド信号は第２の遅延素子部１２に供給される。第１の乗算器１３は、第１タップ（第１の遅延素子部１１の入力側）の値Ｉ１に第１タップ係数Ｋ１を乗じた値を求める。第２の乗算器１４は、第２タップ（第１の遅延素子部１１の出力側）の値Ｉ２に第２タップ係数Ｋ２を乗じた値を求める。第３の乗算器１５は、第３タップ（第２の遅延素子部１２の出力側）の値Ｉ３に第３タップ係数Ｋ３を乗じた値を求める。各タップ係数Ｋ１〜Ｋ３はタップ係数更新部６０から供給される。加算器１６は、各乗算器１３，１４，１５の各乗算結果を加算する。
【００２６】
フィードバックフィルタ部２０は、各遅延素子部２１，２２、各乗算器２３，２４及び加算器２５を備える。各遅延素子部１１，１２の遅延時間は１シンボル時間である。切替スイッチ部８０の出力が帰還データとして第３の遅延素子部２１に供給される。第３の遅延素子部２１で１シンボル時間遅延された帰還データが第４の遅延素子部２２に供給される。第４の乗算器２３は、第４タップ（第３の遅延素子部２１の出力側）の値Ｉ４に第４タップ係数Ｋ４を乗じた値を求める。第５の乗算器２４は、第５タップ（第４の遅延素子部２２の出力側）の値Ｉ５に第５タップ係数Ｋ５を乗じた値を求める。各タップ係数Ｋ４，Ｋ５はタップ係数更新部６０から供給される。加算器２５は、各乗算器２３，２４の各乗算結果を加算する。
【００２７】
なお、フィードバックフィルタ部２０のフィルタタップ数は等化できる遅延量によって決まる。２シンボル遅延までを等化するためには、通常、２タップのフィードバックフィルタタップが必要である。
【００２８】
加算部３０は各フィルタ部１０，２０の各出力を加算する。加算部３０の加算出力は、判定部４０及び誤差検出部５０へ供給される。なお、加算器１６及び加算器２５を設けずに、加算部３０によって各乗算器１３，１４，１５，２３，２４の出力を全て加算する構成でもよい。
【００２９】
判定部４０は、加算部３０の加算出力に基づいて、受信出力として取り得るシンボルの中から加算出力に最も近いシンボルを判定し、判定したシンボル値（受信データ）を出力する。このシンボル値（受信データ）は、切替スイッチ部（データ選択部）８０を介して誤差算出部５０へ供給されるとともに、帰還データとしてフィードバックフィルタ部２０へ供給される。
【００３０】
制御部７０は、トレーニング時にはトレーニング系列のシンボルデータが選択され、非トレーニング時には判定部４０の出力（受信データ）が選択されるように、切替スイッチ部（データ選択部）８０の切り替えを制御する。
【００３１】
誤差算出部５０は、加算部３０の加算出力（各フィルタ部による等化出力）から切替スイッチ部（データ選択部）８０を介して供給される値を減算することで誤差値を求める。この誤差値はタップ係数更新部６０へ供給される。
【００３２】
タップ係数更新部６０は、各タップの値Ｉ１〜Ｉ５、各タップ係数Ｋ１〜Ｋ５及び誤差値に基づいて、誤差が小さくなるように各タップ係数の更新を行う。このタップ係数更新のアルゴリズムとしては、ＬＭＳ（最小２乗法）アルゴリズム、ＲＬＳ（逐次最小２乗法）等を適用することができる。
【００３３】
制御部７０は、タップ係数更新部６０の動作、バッファメモリ部９０からの受信ベースバンド信号の読み出し動作、切替スイッチ部（データ選択部）８０の切り替え動作等を制御する。バッファメモリ部９０には、少なくとも主要到来波の１バーストフォーマット分の受信ベースバンド信号が格納されている。なお、この制御部７０を中心として、等化手段及び係数更新制御手段が構成される。
【００３４】
図２はバーストフォーマット及び本実施形態に係る判定帰還型等化器の第１の等化方式を示す説明図である。本実施形態に係る判定帰還型等化器１は、等化対象データ（ＤＷ２）３１０の等化に関しては、図９に示した従来の等化方式の動作と同様に、既知パターン（ＵＷ）３０９の部分を矢印３１１の方向にトレーニングを行い、引き続き等化対象データ（ＤＷ２）３１０の等化を矢印３１２の方向にトラッキングしながら行う。
【００３５】
ここで、制御部７０は、周波数選択性フェージングを十分に抑制できる性能を満たす等化フィルタが形成された時点（Ｔ）３１３での各タップ係数をタップ係数記憶部６１に記憶させ、等化対象データ（ＤＷ１）３０８の等化を行うために保持させておく。なお、時点（Ｔ）３１３は、実運用時に想定される伝送路条件や移動速度、トレーニングの収束アルゴリズム、及び、トラッキングの収束アルゴリズム等によって最適な時点を予め設定しておく。さらに、時点（Ｔ）３１３は、受信電界強度等によって適応的に変動させることが望ましい。
【００３６】
等化対象データ（ＤＷ１）３０８の等化に関しては、時点（Ｔ）３１３で取得した等化フィルタを流用し（時点（Ｔ）３１３で取得した各タップ係数を用いて）、等化対象データ（ＤＷ１）３０８の等化を矢印３１４の方向（矢印３１１及び矢印３１２と同じ方向）にトラッキングしながら行う。
【００３７】
図３は等化対象データ（ＤＷ１）の最初のシンボルの等化動作の説明図である。等化対象データ（ＤＷ１）３０８のデータ系列をＤ（ｔ）｛ｔ＝０，１，２，３，…，Ｍ｝、また、帰還データのデータ系列をＲＢ（ｔ）｛ｔ＝−２，−１，０，１，２，３，…，Ｍ｝とする。ｔ＝０を等化対象データ（ＤＷ１）３０８の先頭シンボルとする。ｔはシンボル時間単位である。
【００３８】
制御部７０は、等化対象データ（ＤＷ１）３０８の最初のシンボルを等化するに際して、タップ係数更新部６０を介してタップ係数記憶部６１に記憶されている時点Ｔにおける各タップ係数Ｋ１（Ｔ）〜Ｋ５（ｔ）を各乗算器１３，１４，１５，２３，２４にそれぞれ供給させる。
【００３９】
ここで、流用するフィルタは、図３に示すように、データ系列Ｄ（０），Ｄ（１），Ｄ（２）がフィードフォワードフィルタ部１０の各タップに対する入力として満たされたタイミングの等化結果が等化対象データ（ＤＷ１）３０８の先頭シンボルの等化結果となるように、各タップ係数Ｋ１（Ｔ）〜Ｋ５（Ｔ）が形成されていることとする。そして、この時点の等化結果による判定データを帰還データとするタイミングを時点ｔ＝０の帰還データとし、ＲＢ（０）と表わす。帰還データＲＢ（ｔ）は各遅延素子部２１，２２でシンボル単位で遅延し、フィードバックフィルタタップを構成する各乗算器２３，２４へ入力される。
【００４０】
等化対象データ（ＤＷ１）３０８の先頭シンボルの等化を行うときは、前シンボル以前の等化結果が存在しない。よって、図３に示すように、帰還データＲＢ（−２）、ＲＢ（−１）には強制的に０を入力することで、フィードバックフィルタ部２０の出力を０にすることにより、実質的にフィードフォワードフィルタ部１０のみで等化を行う。
【００４１】
制御部７０は、切替スイッチ部（データ選択部）８０等を介してフィードバックフィルタ部２０へ０のデータを強制的に供給することで、各タップ値ＲＢ（−２），ＲＢ（−１）を０に設定するようにしてもよい。また、各遅延素子部２１，２２がデータをゼロにクリアするクリア機能（リセット機能）を備えている場合、制御部７０はその機能を利用して各タップ値ＲＢ（−２），ＲＢ（−１）を０に設定するようにしてもよい。なお、各タップ値ＲＢ（−２），ＲＢ（−１）を０に設定するのではなく、制御部７０はタップ係数更新部６０を介してフィードバックフィルタ部２０の各タップ係数を共に０に設定することで、フィードバックフィルタ部２０の出力を０にするようにしてもよい。
【００４２】
このようにして、フィードフォワードフィルタ部１０のみを用いて先頭シンボルの等化を行う。なお、時点Ｔでの各タップ係数Ｋ１（Ｔ）〜Ｋ５（Ｔ）は、各フィルタ部１０，２０を使用して等化を行う場合に対応したタップ係数値が設定されているため、正しい帰還データを用いてフィードバックフィルタタップも使用した場合のほうが良い等化結果を得られるのであるが、先行波のレベルが十分大きければフィードフォワードフィルタタップだけでも十分な性能を得ることは可能である。制御部７０は、タップ係数更新部６０がタップ係数更新を行わないように制御する。すなわち、フィードバックフィルタ部１０のみで等化を行うようにタップ係数を変更することは行わない。以降のシンボルの等化において、フィードバックフィルタ２０のフィルタタップを使用するからである。
【００４３】
次に２シンボル目の等化について説明する。図４は、２シンボル目の等化を行うとき（時点ｔ＝１）の等化フィルタ及び各データ系列の様子を示している。時点ｔ＝１では、時点ｔ＝０から各データ系列が１シンボル進んだ状態となる。各タップ係数Ｋ１（Ｔ）〜Ｋ５（Ｔ）は変化していない。フィードバックフィルタ２０の第４タップへの入力系列である帰還データＲＢ（０）は、前シンボルの等化結果をもとに算出されたものである。第５タップの入力系列である帰還データＲＢ（−１）は、２シンボル前の等化結果をもとに算出されるべきものであるため、この時点（ｔ＝１）では不定値となる。よって、帰還データＲＢ（−１）の値に０を入力することにより、時点ｔ＝１での等化は、フィードフォワードフィルタ部１０の各タップとフィードバックフィルタ部２０の第４タップからの出力結果で行う。帰還データＲＢ（−１）の値に０を入力する代わりに、第５タップ係数Ｋ５を０に設定してもよい。なお、この時点（ｔ＝１）でも、タップ係数の更新に関しては上記と同様の理由により行わない。このようにして、等化対象データ（ＤＷ１）３０８の２シンボル目の等化を行う。
【００４４】
次に３シンボル目の等化について説明する。図５は、３シンボル目の等化を行うとき（時点ｔ＝２）の等化フィルタ及び各データ系列の様子を表わしたものである。時点ｔ＝２では、時点ｔ＝１のときの状態から各データ系列が１シンボル進んだ状態となる。各タップ係数Ｋ１（Ｔ）〜Ｋ５（Ｔ）は変化していない。時点ｔ＝２では、２シンボル前の等化結果をもとに算出された帰還データＲＢ（０）と１シンボル前の等化結果をもとに算出された帰還データＲＢ（１）とが揃うので、フィードフォワードフィルタ部１０の全タップとフィードバックフィルタ部２０の全タップとを使用して等化を行う。
【００４５】
すなわち、時点ｔ＝２で、流用した等化フィルタ（時点Ｔでの各タップ係数を適用したフィルタ）で本来の等化を行うためのデータが出揃い、前２シンボルの等化結果が正しければ時間的に連続した等化と同様の動作となる。よって、以降のシンボルの等化に関しては、タップ係数の更新を含む従来どおりの動作で引き続き行うことができる。
【００４６】
図６はバーストフォーマット及び本実施形態に係る判定帰還型等化器の第２の等化方式を示す説明図である。トレーニング及びトラッキングは時間的に逆向きに行ってもよい。  具体的には、既知パターン（ＵＷ）３０９の部分を矢印４１１の方向に（時間的に逆向きに）トレーニングを行い、引き続き等化対象データ（ＤＷ１）３０８の等化を矢印４１２の方向に（時間的に逆向きに）トラッキングしながら行う。そして、周波数選択性フェージングを十分に抑制できる性能を満たす等化フィルタが形成された時点（ＴＢ）４１３での各タップ係数をタップ係数記憶部６１に記憶させ、等化対象データ（ＤＷ２）３１０の等化を行うために保持させておく。等化対象データ（ＤＷ２）３１０の等化に関しては、時点（ＴＢ）４１３で取得した等化フィルタを流用し（時点（ＴＢ）４１３で取得した各タップ係数を用いて）、矢印４１４の方向に（時間的に逆向きに）トラッキングしながら行う。
【００４７】
図７は本実施形態に係る判定帰還型等化器を備えた受信装置のブロック図である。図７に示す受信装置７００は、受信アンテナ７０１、ダウンコンバート回路７０２、Ａ／Ｄ変換器７０３、及び、判定帰還型等化器７０４からなる。受信アンテナ７０１により受信した受信データは、ダウンコンバート回路７０２によりベースバンド信号となり、Ａ／Ｄ変換器７０３に入力される。Ａ／Ｄ変換器７０３は、アナログベースバンド信号をサンプリングしデジタルベースバンド信号を出力する。判定帰還型等化器７０４は、図１に示した判定帰還型等化器１と同一である。この判定帰還型等化器７０４は、既に符号間干渉を抑圧することができている等化フィルタをデータ連続性のない離れた時点で流用し、トレーニングを行うことなく等化できるため、演算規模を低減することができる。このような判定帰還型等化器７０４を備えることで、特にフィードフォワードフィルタが効果的に作用するシステム運用条件では、良好な受信特性を得ることのできる受信装置７００を提供することができる。
【００４８】
また、図７に示した受信装置を用いることで良好な受信特性を有する移動局無線装置、或いは基地局無線装置を構成することができる。さらに、この受信装置を備えた移動局無線装置と基地局無線装置の少なくとも一方を有する無線通信システムを構成することができる。
【００４９】
上述したように、本実施形態では、等化フィルタの流用を行う際、最初のシンボルの等化では、前シンボルの等化結果が存在せず、帰還データが不定であるため、フィードバックフィルタを使用せずにフィードフォワードフィルタのみで等化し、帰還データを得ることができるようになってからは、その帰還データに対応したフィードバックフィルタタップのみを用いてフィードバックフィルタも使用して等化する。また、帰還データの信頼性が高まるまでは、タップ係数の更新を行わないようにし、帰還データの信頼度が十分に高まった時点から更新を始める。
【００５０】
したがって、既に符号間干渉を抑圧することができている等化フィルタをデータ連続性のない離れた時点にて流用し、トレーニングを行うことなく等化できるため、演算規模を低減することができる。特に、フィードフォワードフィルタが効果的に作用するシステム運用条件では、良好な受信特性を得ることのできる受信装置を構成することができる。また、その受信装置を備えた移動局無線装置、基地局無線装置、及び、無線システムの構築において、等化対象データの前の連続した位置にトレーニング用の既知パターンを設けなければならないという条件を除外できるため、システム設計の容易性が高められる。
【００５１】
このように本実施形態によれば、前シンボル以前の等化結果が存在しない場合でも、別の時点で形成した等化フィルタの各タップ係数を用いて各時点で有効なデータに基づいて等化を行うことで、トレーニングを行うことなく等化を行えるようにすることが可能となる。
【産業上の利用可能性】
【００５２】
本発明は、前シンボル以前の等化結果が存在しない場合でも、トレーニングを行うことなく等化を行えるようにすることができる効果を有し、周波数選択性フェージングによって生ずる受信信号の歪みを等化する判定帰還型等化器、及びこの判定帰還型等化器を備えた受信装置、並びにこの受信装置を備える移動局無線装置、基地局無線装置、無線通信システム等に有用である。
【図面の簡単な説明】
【００５３】
【図１】本発明の実施形態に係る判定帰還型等化器のブロック図
【図２】バーストフォーマット及び本実施形態に係る判定帰還型等化器の第１の等化方式を示す説明図
【図３】等化対象データの最初のシンボルの等化動作の説明図
【図４】等化対象データの２番目のシンボルの等化動作の説明図
【図５】等化対象データの３番目のシンボルの等化動作の説明図
【図６】バーストフォーマット及び本実施形態に係る判定帰還型等化器の第２の等化方式を示す説明図
【図７】本実施形態に係る判定帰還型等化器を備えた受信装置のブロック図
【図８】従来の判定帰還型等化器の動作を説明する図
【図９】バーストフォーマットの従来の等化方式の説明図
【符号の説明】
【００５４】
１、７０４  判定帰還型等化器
１０  フィードフォワードフィルタ部
１１、１２、２１、２２  遅延素子部
１３、１４、１５、２３、２４  乗算器
１６、２５  加算器
２０  フィードバックフィルタ部
３０  加算部
４０  判定部
５０  誤差算出部
６０  タップ係数更新部
６１  タップ係数記憶部
７０  制御部
８０  切替スイッチ部（データ選択部）
９０  バッファメモリ部
７００  受信装置
７０１  受信アンテナ７０１
７０２  ダウンコンバート回路
７０３  Ａ／Ｄ変換器
【図１】
2006033015.tif 000003
【図２】
2006033015.tif 000004
【図３】
2006033015.tif 000005
【図４】
2006033015.tif 000006
【図５】
2006033015.tif 000007
【図６】
2006033015.tif 000008
【図７】
2006033015.tif 000009
【図８】
2006033015.tif 000010
【図９】
2006033015.tif 000011